(57)【要約】【課題】安価で見栄えが良く且つ簡単に空気の浄化が図れるマイナスイオン生成製品を提供すること。【解決手段】基材の一方面に、微量の天然放射線を出す鉱物粉と塗料を混ぜたものを塗って形成した放射線発生層を、他方面に、印刷層を、それぞれ設けてある。基材の片面に、微量の天然放射線を出す鉱物粉と塗料を混ぜたものを塗って形成した放射線発生層、印刷層が順に積層されて成る。放射線発生層と印刷層との間に、白色の印刷面を形成する白地層を設けてある。基材がシート状のものであり、基材における放射線発生層と反対面に貼着剤層を形成すると共にその上に剥離紙を重ねてある。【選択図】　図２
2004098447.tif 000002
【特許請求の範囲】
【請求項１】
基材の一方面に、微量の天然放射線を出す鉱物粉と塗料を混ぜたものを塗って形成した放射線発生層を、他方面に、印刷層を、それぞれ設けてあることを特徴とするマイナスイオン生成製品。
【請求項２】
基材の片面に、微量の天然放射線を出す鉱物粉と塗料を混ぜたものを塗って形成した放射線発生層、印刷層が順に積層されて成ることを特徴とするマイナスイオン生成製品。
【請求項３】
放射線発生層と印刷層との間に、白色の印刷面を形成する白地層を設けてあることを特徴とする請求項２記載のマイナスイオン生成製品。
【請求項４】
基材がシート状のものであり、基材における放射線発生層と反対面に貼着剤層を形成すると共にその上に剥離紙を重ねてあることを特徴とする請求項２又は３記載のマイナスイオン生成製品。
【請求項５】
基材がシート状のものであり、基材における放射線発生層の上に貼着剤層を形成してあることを特徴とする請求項１記載のマイナスイオン生成製品。
【請求項６】
放射線発生層に、遠赤外線を出す鉱物粉を含ませてあることを特徴とする請求項１乃至５のいずれかに記載のマイナスイオン生成製品。
【発明の詳細な説明】
【０００１】
【発明の属する技術分野】
この発明は、マイナスイオンを生成する製品（この明細書ではマイナスイオン生成製品という）に関するものである。
【０００２】
【従来の技術】
微量の天然放射物質を含む鉱物からの放射線により空気中にマイナスイオンが生成されていることは既に知られているが、近年、このマイナスイオンが以下に示す▲１▼▲２▼の効果を有することから注目されるようになってきている。
▲１▼　マイナスイオンは、人間その他の動物に対しては、身体の血液のｐＨを整え、血流を増加させ、生理代謝作用を促進し、その結果、肩こりを防止する効果、疲労回復効果、身体の悪臭除去効果等の優れた効果を発揮する。
▲２▼　マイナスイオンは、物が腐る速度を抑制する効果及び悪臭を低く抑えることができるという効果を発揮する。
【０００３】
上記マイナスイオンを発生する製品としては、例えば、マイナスイオンを発生する被覆用繊維布着帛がある。この被覆用繊維布着帛は、染色上がりの生地を微小粒径のトルマリン水分散体の加工液中に漬けた後に絞り、乾燥後熱処理して製造されている。（例えば、特許文献１参照。）。
【０００４】
【特許文献１】
特開２００１−３５６４４号公報（第７頁右欄第７〜２６行目）
【０００５】
【発明が解決しようとする課題】
しかしながら、上記従来のものは、その製造上コスト高であり、被覆用繊維布帛であるので場所にかかわらずとこでも使用できるというものではなかった。
【０００６】
したがって、近年、人々の間では安価で見栄えが良く且つ簡単に空気の浄化が図れるマイナスイオン生成製品が市場に出回ることを待ち望んでいる。
【０００７】
そこで、この発明は、安価で見栄えが良く且つ簡単に空気の浄化が図れるマイナスイオン生成製品を提供することを課題とする。
【０００８】
【課題を解決するための手段】
（請求項１記載の発明）
この発明のマイナスイオン生成製品は、基材の一方面に、微量の天然放射線を出す鉱物粉と塗料を混ぜたものを塗って形成した放射線発生層を、他方面に、印刷層を、それぞれ設けてある。
（請求項２記載の発明）
この発明のマイナスイオン生成製品は、基材の片面に、微量の天然放射線を出す鉱物粉と塗料を混ぜたものを塗って形成した放射線発生層、印刷層が順に積層されて成る。
（請求項３記載の発明）
この発明のマイナスイオン生成製品は、上記請求項２記載の発明に関し、放射線発生層と印刷層との間に、白色の印刷面を形成する白地層を設けてある。
（請求項４記載の発明）
この発明のマイナスイオン生成製品は、上記請求項２又は３記載の発明に関し、基材がシート状のものであり、基材における放射線発生層と反対面に貼着剤層を形成すると共にその上に剥離紙を重ねてある。
（請求項５記載の発明）
この発明のマイナスイオン生成製品は、上記請求項１記載の発明に関し、基材がシート状のものであり、基材における放射線発生層の上に貼着剤層を形成してある。
（請求項６記載の発明）
この発明のマイナスイオン生成製品は、上記請求項１乃至５のいずれかに記載の発明に関し、放射線発生層に、遠赤外線を出す鉱物粉を含ませてある。
【０００９】
上記発明のマイナスイオン生成製品の機能については、発明の実施の形態の欄で明らかにする。
【００１０】
【発明の実施の形態】
この発明の実施形態のマイナスイオン生成製品を図面に従って説明する。
〔実施形態１〕
図１は、この発明の実施形態のマイナスイオン生成製品である弁当箱Ｂの一部を断面した斜視図であり、図２は前記弁当箱Ｂの部分拡大図である。
（弁当箱Ｂの全体の構成）
弁当箱Ｂは、図１や図２に示すように、本体Ｂ１と蓋体Ｂ２（課題を解決するための手段の欄に記載の基材と対応する）とから成る合成樹脂製のものであり、前記蓋体Ｂ２の上面に、微量の天然放射線を出す鉱物粉と塗料を混ぜたものを塗って形成した放射線発生層１、白色の印刷面を形成する白地層２、花柄の印刷が施された印刷層３とが順に積層一体化されている。なお、この実施形態では、放射線発生層１、白地層２及び印刷層３が剥がれないようにするため、図示しない薄い合成樹脂製の透明フィルムで覆ってある。
（放射線発生層１について）
放射線発生層１の形成に使用される天然放射線を出す鉱物としては例えば、デービド鉱、ブランネル鉱、センウラン鉱、ニンギョウ石、リンカイウラン石、カルノー石、ツヤムン石、マタチャムン石、フランセビル石、トール石、コフィン石、サマルスキー石、トリウム石、トロゴム石、モナズ石等が挙げられ、塗料に混ぜる際には０．１〜１０μｍ程度、好ましくは０．５〜３μｍ程度の平均粒子径に微粉砕、分級したものとしてある。具体例としては、例えば、株式会社エコホリスティックの「マイナスイオンセラミックパウダー（ＭＰ−０２）」に含まれている。
【００１１】
また、放射線発生層１の形成に使用される塗料は、特に種類を選ばない。要するに蓋体Ｂ２上面に留めることができる（バインダー機能を有する）ものであればよい。
【００１２】
なお、天然放射線を出す鉱物と、塗料との比率は、必要な天然放射線発生量に応じて決定すればよい。
（白地層２について）
白地層２は、印刷層３の花柄が綺麗な色となるための下地であり、特に材料を選ばない。要するに白色が形成できればよいのである。
（印刷層３について）
印刷層３は、特別な手法により形成されるものではなく、公知である通常の手法により形成される。
（この弁当箱Ｂを使用した場合の効果）
放射線発生層１に存在する鉱物粉からでる天然放射線は弁当箱Ｂの蓋体Ｂ２を通過し、弁当箱Ｂ内においてマイナスイオンが発生する（空気の浄化）。したがって、弁当箱Ｂ内のご飯やおかずが腐りにくく、また、食べ残した場合でも弁当箱Ｂ内での悪臭発生を抑えることができる。
【００１３】
この弁当箱Ｂは、基本的には蓋体Ｂ２の上面に、微量の天然放射線を出す鉱物粉と塗料を混ぜたものを塗って放射線発生層１を形成するものであるから、低コストである。
【００１４】
この弁当箱Ｂでは、放射線発生層１は、花柄の印刷が施された印刷層３で隠れるので、外観上の見栄えもよい。
〔実施形態２〕
図３は、この発明の実施形態のマイナスイオン生成製品であるシート状印刷物Ｓの断面図である。
（シート状印刷物Ｓの全体の構成）
このシート状印刷物Ｓは、図３に示すように、厚紙４（課題を解決するための手段の欄に記載の基材と対応する）の片面に、微量の天然放射線を出す鉱物粉と塗料を混ぜたものを塗って形成した放射線発生層１、白地を形成する白地層２、印刷層３とが順に積層一体化されて構成されている。そして、厚紙４における放射線発生層１との反対面に貼着剤層５を形成すると共にその上に剥離紙６を重ねてある。
【００１５】
ここで、放射線発生層１、白地層２、印刷層３は上記した実施形態１と同様のものであるが、前記印刷層３には人物や景色等が施されている。
（このシート状印刷物Ｓを使用した場合の効果）
このシート状印刷物Ｓでは、剥離紙６を剥ぎ、貼着剤層５を利用して家や車の壁面に貼り付けるようにして使用する。このシート状印刷物Ｓにおいてもマイナスイオンの生成により空気の浄化が図れ、人間その他の動物に対して、身体の血液のｐＨを整え、血流を増加させ、生理代謝作用を促進し、その結果、肩こりを防止する効果、疲労回復効果、身体の悪臭除去効果等の優れた効果を発揮する。
【００１６】
また、このシート状印刷物Ｓは、基本的には厚紙４に、微量の天然放射線を出す鉱物粉と塗料を混ぜたものを塗って放射線発生層１を形成するものであるから、低コストである。
【００１７】
更に、このシート状印刷物Ｓでは、放射線発生層１は、人物や景色等が施された印刷層３で隠れるので、外観上の見栄えもよい。
【００１８】
シート状印刷物Ｓの基材としては、厚紙４でなくとも、薄紙、樹脂シート、金属シート、石シートでもよい。要するに、放射線を通さない鉛以外の材質であれば何でも良い（実施形態１も同じ）。
〔他の実施形態〕
▲１▼．上記実施形態１、２において、放射線発生層１に遠赤外線を出す鉱物粉を含ませるようにしてもよい。遠赤外線を出す鉱物粉としてはジルコン、ジルコニア、アルミナ、シリカ等のセラミックスを混合し、粉砕、焼成後適宜補助剤を添加混合した後、微粉砕、分級したもの（０．１〜１０μｍ程度、好ましくは０．５〜３μｍ程度）が採用できる。具体例としては、例えば株式会社ニシザキにより販売されている「Ｎ，Ｎパウダー」がある。
▲２▼．上記実施形態１では、基材は弁当箱Ｂの蓋体Ｂ２であり、実施形態２では、基材は厚紙４であるが、これに限定されることなく、基材はどのようなものであってもよい。
▲３▼．上記実施形態２では、厚紙４における放射線発生層１との反対面に貼着剤層５を形成すると共にその上に剥離紙６を重ねてあるが、これに限定されることなく、に貼着剤層５及び剥離紙６は必須構成ではない。
▲４▼．上記実施形態１、２では、印刷層３における印刷が綺麗な色となるように、放射線発生層１と印刷層３との間に、白色の印刷面を形成する白地層２を設けてあるが、これに限定されることなく、白地層２の形成を省くことができる。
▲５▼．上記実施形態２の構成にかえて、基材である厚紙４等の一方面に、微量の天然放射線を出す鉱物粉と塗料を混ぜたものを塗って形成した放射線発生層１を、他方面に、印刷層３を、それぞれ設けてある。貼着剤層５及び剥離紙６を設ける場合には放射線発生層１上に設ければよい。
▲６▼．上記した全ての実施形態では、放射線発生層は、微量の天然放射線を出す鉱物粉と塗料を混ぜたものを塗って形成しているが、これに変えて、樹脂に微量の天然放射線を出す鉱物粉を混入してシート状に形成したものとすることができる。なお、この場合において、前記樹脂に微量の天然放射線を出す鉱物粉を混入してシート状に形成したもの自体を基材とし、これに適宜、白地層、印刷層、貼着剤層、剥離紙を具備させることができる。
【００１９】
【発明の効果】
この発明は上記のような構成であるから次の効果を有する。
【００２０】
発明の実施の形態の欄に記載した内容から、安価で見栄えが良く且つ簡単に空気の浄化が図れるマイナスイオン生成製品を提供できた。
【図面の簡単な説明】
【図１】この発明の実施形態１のマイナスイオン生成製品である弁当箱の一部を断面した図。
【図２】前記弁当箱Ｂの部分拡大図。
【図３】この発明の実施形態２のマイナスイオン生成製品であるシート状印刷物の断面図。
【符号の説明】
１　　　放射線発生層
２　　　白地層
３　　　印刷層
４　　　貼着剤層
５　　　剥離紙
【図１】
2004098447.tif 000003
【図２】
2004098447.tif 000004
【図３】
2004098447.tif 000005